(57)【要約】      （修正有）【課題】現在、飲料容器として使用されてる大型で寸胴形のペットボトルにおいて、そのボトル中の飲料残量が十分にあってボトルと飲料全体の重量が相当程度大きい時、そのボトルを手で持ち上げるためには、ボトルキャップ（蓋）周辺を指先だけの圧力で摘んで実施しているが、その方法では、女性・子供や非力者にとって肉体的な負担が大きく、大型ペットボトル自体の使用に心理的な抵抗感が生じてしまう。【解決手段】本発明は、従来の寸胴型の大型ペットボトルの容器本体の一側面の上半部分に、凹状のポケット、または凸状の取っ手を一体成形加工で付加し、そのポケットまたは取っ手に手の指を二本、或いは三本と差し込むことで、肉体的な負担を減少させて、容易にそのペットボトルを持ち上げることが出来るようにしたものである。【選択図】図３
2017128348.tif 000002
【特許請求の範囲】
【請求項１】
飲料或いは液体製品用の容量1500ミリリットル以上の大型ペットボトルにおいて、本体側面の上半部１カ所に指先が数本入る凹状のポケットを一体成形加工し、そこに指を差し入れることで持ち上げることを可能にしたもの。
【請求項２】
請求項１における凹状ポケット内部の上面を、挿入する指の滑り止めのための摩擦効果の高い形状（波状形など）にする。
【請求項３】
飲料或いは液体製品用の容量1500ミリリットル以上の大型ペットボトルにおいて、本体の上角１カ所に指先が数本掛かる凸状の取っ手を一体成形加工し、そこに指を掛けることで持ち上げることを可能にしたもの。
【請求項４】
上記請求項１、請求項３において、凹状ボケットあるいは凸状取っ手がある側のペットボトルの側面の下半分の形状をデコボコのない滑らかな壁面形状とする。
【請求項５】
容量1500ミリリットル以上の炭酸系飲料用大型ペットボトルにおいて、本体側面の上半部１カ所に指先が数本入る凹状のポケットを一体成形加工し、そこに指を差し入れることで持ち上げることを可能にしたもの。その場合に炭酸系飲料のガス圧に対抗さすために凹状ポケットの入り口の形を楕円形とし、そのポケットの内部の形状を半球形とする。
【請求項６】
上記請求項５において、半球形の凹状ポケットの内部に「中仕切り」を設けて炭酸系飲料のガス圧に対抗さす。
【発明の詳細な説明】
【技術分野】
【０００１】
本発明は、大型ペットボトルの利用性を高める本体形状に関するものである。
【発明の概要】
【発明が解決しようとする課題】
【０００２】
現在、飲料その他液体製品の容器に使われてる容量が1500ミリリットル以上の寸胴形状の大型ペットボトル（以下、単に「大型ペットボトル」と記す）において、特にそのペットボトルの開栓直後など、内容量が十分にそのペットボトル中にある時、その決して軽いとは言えない重量のために、そのペットボトルを持ち上げるには、従来のように指先の力だけでキャップ周辺を摘んで持ち上げるとすれば、その指先への負荷は相当大きく、子供や女性、高齢者には、肉体的負担がかなり大きいのが現状である。
そのため、普通の生活状況において、そのペットボトルの飲料等が冷蔵庫の内部下段に収納されてるものを、取り出して使用すること自体が肉体的に厳しいものとなってしまっている（図１の上図）。
【課題を解決するための手段】
【０００３】
本発明は、大型ペットボトルの容器本体の一側面の上半部分に、凹状のポケット、または凸状の取っ手を一体成形加工で付加し、そのポケットまたは取っ手に手の指を二本、或いは三本と差し込むことで、肉体的な負担を減少させて、容易にそのペットボトルを持ち上げることが出来るようにしたものである。
【発明の効果】
【０００４】
子供、女性、高齢者、病人などの非力者や、指先が濡れて滑りやすいなどの特殊な状況下にある者でも、冷蔵庫に収納された大型ペットボトルを肉体的な負担を余り感じることなく容易に取り出すことができるようになる（図１の下図）。
また普段、飲料で満たされた重量のある大型ペットボトルを、容易に把持・携行しやすくなる。
【図面の簡単な説明】
【０００５】
【図１】本発明の実施形態を、冷蔵庫に収納した本発明の大型ペットボトルを取り出す状況下で、従来型の大型ペットボトルと対比させて示したものである。
【図２】本発明の基本的な考え方を、従来型の大型ペットボトルに凹状ポケットを新たに付加して示したものである。
【図３】本発明において、従来型の大型ペットボトルに付加した凹状ポケットの断面構造を示し、また、発明の実施形態を示したものである。
【図４】本発明において、従来型の大型ペットボトルに付加する凹状ポケットの２つのタイプをａ、ｂで示す。
【図５】本発明において、従来の大型ペットボトルに凸状の取っ手を付ける場合を２例示している。
【図６】本発明において、炭酸飲料が入ってる場合の大型ペットボトルにおける仕様である。
【図７】本発明に付随して行う大型ペットボトルの改良点を示している。
【発明を実施するための形態】
【実施例１】
【０００６】
非炭酸系飲料用の大型ペットボトルにおいて、図２のようにボトル本体の一側面の上半部分に、凹状のポケットを一体成形加工する。その凹状のポケットは、図３で示すように、成人の指先三本程度が入る広がりと高さを有し、かつボトル内部でポケットが上向き角度で延びてるものとする。そして、凹状ポケットの入り口部分は、指先が傷つかないように角を丸くする。
【０００７】
そしてそのポケットは、構造上、図４に示すごとく二つのタイプが考えられる。
一つは図４ａのように、凹状ポケットがボトル内部において上向き角度が大きく、かつその深さが浅いものであり、指先をそれに引っ掛けるようにしてボトルを持ち上げるものである。
【０００８】
他の一つは図４ｂのように、凹状ポケットがボトル内部において上向き角度を小さくして深く入り込んでいるものであり、ボトルを指先で十分に保持して持ち上げることが出来るものである。この場合、滑り止め効果のために凹状ポケットの上部分に波状形、或いはそれと同様な滑り止効果のある形状を設ける。
【実施例２】
【０００９】
同じく非炭酸系飲料用の大型ペットボトルにおいて、図５のようにボトル本体一側面の上端部分に、凸状の取っ手を一体成形加工する。図５においてはその２つの例を示している。そのボトルを持ちあげるためには、その取っ手に指を引っ掛けて引き上げる。
【実施例３】
【００１０】
以上の実施例１と実施例２の本発明のペットボトル形状でさらに付加する点として、図７で示すように、ペットボトル本体のポケット側、或いは取っ手側の側面の下半分の形状を、そのペットボトルを冷蔵庫下段に収納した後に冷蔵庫本体に引っかかることなく容易に取り出せるような滑らかな面状とすることである。
【実施例４】
【００１１】
炭酸系飲料用の大型ペットボトルにおいて、図６のようにボトル本体上半部分に凹状ポケットを作る。その際、飲料のガス圧に対抗するために、図６で示すように、そのポケット入り口の形を楕円形状にして、また大人の指が２本程度入る程度の小さめの大きさにして、そのポケット自体の形状も内部において半球状とする。そして、そのポケット内部に図６のように中仕切りを設けて一層、飲料のガス圧に対抗させる。そしてそのポケットにおいて挿入する指が当たる個所部分は、指が傷つかないように角を丸くする。
【符号の説明】
【００１２】
１    丸くした角
２    滑り止めのための波状形
３    冷蔵庫から取り出しが容易な大型ペットボトルの側面
【図１】
2017128348.tif 000003
【図２】
2017128348.tif 000004
【図３】
2017128348.tif 000005
【図４】
2017128348.tif 000006
【図５】
2017128348.tif 000007
【図６】
2017128348.tif 000008
【図７】
2017128348.tif 000009